(57)【特許請求の範囲】
【請求項１】
少なくとも一種のシリコーン油を含むマイクロエマルション中において界面活性剤の効果を向上する方法であって、
水溶性ブロックＡと、ブロックＢとを含むブロックコポリマーであって、前記ブロックＢが、ポリジエンまたは部分的にもしくは完全に水素化されたポリジエンである前記ブロックコポリマーを、前記マイクロエマルションに添加剤として加える方法であって、ポリジエン中または基礎となるポリジエン中の１，４ミクロ構造を多くとも５０％の割合で含むポリジエンまたは部分的にもしくは完全に水素化されたポリジエンであるブロックＢを使用することを特徴とする、前記方法。
【請求項２】
少なくとも一種のシリコーン油を含む、水、油及び界面活性剤の混合物中において層状相を抑制する方法であって、
水溶性ブロックＡと、ブロックＢとを含むブロックコポリマーであって、前記ブロックＢが、ポリジエンまたは部分的にもしくは完全に水素化されたポリジエンである前記ブロックコポリマーを、前記マイクロエマルションに添加剤として加える方法であって、ポリジエン中または基礎となるポリジエン中の１，４ミクロ構造を多くとも５０％の割合で含むポリジエンまたは部分的にもしくは完全に水素化されたポリジエンであるブロックＢを使用することを特徴とする、前記方法。
【請求項３】
少なくとも一種のシリコーン油を含む、油、水及び界面活性剤の混合物について単相領域の温度位置を安定化する方法であって、
水溶性ブロックＡと、ブロックＢとを含むブロックコポリマーであって、前記ブロックＢが、ポリジエンまたは部分的にもしくは完全に水素化されたポリジエンである前記ブロックコポリマーを、前記マイクロエマルションに添加剤として加える方法であって、ポリジエン中または基礎となるポリジエン中の１，４ミクロ構造を多くとも５０％の割合で含むポリジエンまたは部分的にもしくは完全に水素化されたポリジエンであるブロックＢを使用することを特徴とする、前記方法。
【請求項４】
界面活性剤及び少なくとも一種のシリコーン油を含む、油及び水の混合物の界面張力を低下させる方法であって、
水溶性ブロックＡと、ブロックＢとを含むブロックコポリマーであって、前記ブロックＢが、ポリジエンまたは部分的にもしくは完全に水素化されたポリジエンである前記ブロックコポリマーを、前記マイクロエマルションに添加剤として加える方法であって、ポリジエン中または基礎となるポリジエン中の１，４ミクロ構造を多くとも５０％の割合で含むポリジエンまたは部分的にもしくは完全に水素化されたポリジエンであるブロックＢを使用することを特徴とする、前記方法。
【請求項５】
ブロックＡが、少なくとも一種の成分としてシリコーン油を含む油中に不溶性であることを特徴とする、請求項１〜４のいずれか一つの方法。
【請求項６】
ブロックＡが、モノマーとしてのエチレンオキシド、プロピレンオキシド、ブチレンオキシド、より高級のアルキレンオキシド、ポリアクリル酸、ポリメタクリル酸、ポリスチレンスルホン酸並びにそれのアルカリ金属塩（この際、アルカリ金属カチオンによる酸官能基の置換が少なくとも部分的に行われる）、ポリビニルピリジン及びポリビニルアルコール、ポリメチルビニルエーテル、ポリビニルピロリジン、ポリサッカライドの群からの少なくとも一種の成分からなることを特徴とする、請求項１〜５のいずれか一つの方法。
【請求項７】
ブロックＡとしてポリエチレンオキシド（ＰＥＯ）が使用されることを特徴とする、請求項１〜６のいずれか一つの方法。
【請求項８】
各モノマー単位が任意の配列で存在するブロックＡを使用することを特徴とする、請求項１〜６のいずれか一つの方法。
【請求項９】
各モノマー単位がランダムな配列を有するブロックＡを使用することを特徴とする、請求項１〜８のいずれか一つの方法。
【請求項１０】
ブロックＢが油中に可溶性であり、この際、油が少なくとも一種の成分としてシリコーン油を含むことを特徴とする、請求項１〜９のいずれか一つの方法。
【請求項１１】
ポリジエン中または基礎となるポリジエン中の１，４ミクロ構造を多くとも２５％の割合で含むポリジエンまたは部分的にもしくは完全に水素化されたポリジエンであるブロックＢを使用することを特徴とする、請求項１〜１０のいずれか一つの方法。
【請求項１２】
ポリジエン中または基礎となるポリジエン中の１，４ミクロ構造を多くとも１０％の割合で含むポリジエンまたは部分的にもしくは完全に水素化されたポリジエンであるブロックＢを使用することを特徴とする、請求項１〜１１のいずれか一つの方法。
【請求項１３】
ポリブタジエン及び／またはポリイソプレン及び／または部分的にもしくは完全に水素化されたポリブタジエンもしくはポリイソプレンであるブロックＢを使用することを特徴とする、請求項１〜１２のいずれか一つの方法。
【請求項１４】
ＡＢ、ＡＢＡ、ＢＡＢ、（ＡＢ）ｎ星状または（ＢＡ）ｎ星状の形の構造を有する化合物の群から選択される少なくとも一種の成分をブロックコポリマーとして使用することを特徴とする、請求項１〜１３のいずれか一つの方法。
【請求項１５】
ブロックＢが純粋なシリコーン油中に可溶性であることを特徴とする、請求項１〜１４のいずれか一つの方法。
【請求項１６】
ブロックＡが、５００ｇ／モル〜１０００００ｇ／モルの分子量を有することを特徴とする、請求項１〜１５のいずれか一つの方法。
【請求項１７】
ブロックＢが、５００ｇ／モル〜１０００００ｇ／モルの分子量を有することを特徴とする、請求項１〜１６のいずれか一つの方法。
【請求項１８】
シリコーン油としてポリジメチルシロキサンを使用することを特徴とする、請求項１〜１７のいずれか一つの方法。
【請求項１９】
シリコーン油が、平均で最大１０個のジメチルシロキサン単位を有することを特徴とする、請求項１８の方法。
【請求項２０】
ブロックコポリマーを添加剤として含み、
ブロックコポリマーが水溶性ブロックＡと、ブロックＢとを含むブロックコポリマーであって、前記ブロックＢが、ポリジエンまたは部分的にもしくは完全に水素化されたポリジエンであり、ポリジエン中または基礎となるポリジエン中の１，４ミクロ構造を多くとも５０％の割合で含むポリジエンまたは部分的にもしくは完全に水素化されたポリジエンであるブロックＢを使用することを特徴とする、少なくとも一種の成分としてシリコーン油を含む界面活性剤−油混合物。
【請求項２１】
マイクロエマルションの構成分であることを特徴とする、請求項２０の界面活性剤−油混合物。
【請求項２２】
毛髪及び身体用のケア用品及び化粧料、例えばデオドラント、スキンケア用品、サンクリーム、ローション、シャンプー、シャワージェル、浴用添加剤、潤滑剤、滑剤、離型剤、植物保護剤、医薬品、繊維材料のケア用品及び助剤、皮革及び毛皮のケア用品、乗り物のケア用品、クリーナー及び艶出し剤、洗剤及び洗浄剤の構成分としての、請求項２１の界面活性剤−油混合物の使用。
【発明の詳細な説明】
【技術分野】
【０００１】
本発明は、添加剤及び界面活性剤−油混合物を用いることによる、シリコーン油を含むマイクロエマルション中での界面活性剤の効果向上、層状メソ相の抑制、単相領域の温度安定化並びに界面張力の低下方法に関する。
【０００２】
以下の記載において、マイクロエマルションとは、熱力学的に安定した、水、油及び界面活性剤からなる混合物を意味する。また、油は、水と不混和性の液体を意味する。
【背景技術】
【０００３】
マイクロエマルションにおいては、通常、炭化水素油が油として使用される。しかし、エステル油などの他の油を含むマイクロエマルションも知られている。シリコーン油を含むマイクロエマルションは特殊な例である。このようなマイクロエマルションは従来技術から公知である。このシリコーン油−マイクロエマルションには、疎水性成分としてケイ素含有有機基を有する界面活性剤、例えばオリゴ−ジメチルシロキサンが特に好適である。これらのマイクロエマルションは液状かまたは固体のゲルであることができる。例えば、米国特許第5,705,562号明細書、米国特許第5,707,613号明細書、欧州特許出願公開(A1)第0 789 610号明細書及び米国特許第6,616,934号明細書などを挙げることができる。
【０００４】
上記のシリコーン油マイクロエマルションの欠点は、必要なシリコーン油界面活性剤が高額なことである。
【０００５】
代替物として、シリコーン界面活性剤と、ケイ素不含の慣用の界面活性剤とを含む混合物を界面活性剤として使用することもできる（米国特許出願公開(A1)第  2003/0040571号明細書）。
【０００６】
また、ケイ素含有界面活性剤を使用しないシリコーン油−マイクロエマルションも知られている。このためには、通常の非イオン性界面活性剤またはイオン性界面活性剤あるいはこれらの混合物が使用される（米国特許第6,013,683号明細書、米国特許第6,071,975号明細書）。これらの系の欠点は、マイクロエマルションを得るためには非常に多量の界面活性剤が必要なことである。
【０００７】
油としては、例えばビニル基、Ｓｉ−Ｈ、アミノ基、Ｓｉ−ＯＨを含む感応性シリコーンも使用することができる。マイクロエマルションは、反応媒体としても使用することができる（欧州特許出願公開(A)第1 221 455号明細書; 米国特許第5,518,716号明細書; 米国特許第5,661,215号明細書; 米国特許第5,684,085号明細書; 米国特許第6,207,781 B1号明細書; 米国特許第6,201,091 B1号明細書; 米国特許第5,017,297号明細書; 米国特許第5,891,954号明細書）。
【０００８】
界面活性剤の効果は、所定量の油を水中にまたはこれとは逆に所定量の水を油中にマイクロエマルションの形で混合するために必要な界面活性剤の量として表される。それゆえ、効果の向上は、マイクロエマルションが安定していることができる温度域(Temperaturfenster)の拡張を意味する。
【０００９】
しかし、マイクロエマルションの工業的な調合物では、望ましくない層状のメソ相がしばしば生ずる。層状のメソ相は、光学的異方性及び高められた粘度を招く。
【００１０】
マイクロエマルションの工業的な調合物の更に別の問題の一つはそれの温度挙動である。特に、添加剤を加えることは、一般的に、商業的な使用に重要な単相領域を、他の温度範囲にシフトさせてしまう。この単相領域のシフトの程度は１０℃以上になり得る。しかし、その結果として、例えば、処方を、個々の場合に新たに生じる単相領域の温度挙動に適合するように変えなければならない。
【００１１】
更に、界面活性剤を節約しながらも、少なくとも同等に上質の調合物を得ることに対する要望がある。界面活性剤の節約は、費用面での理由の他に、生態学的な理由または健康上の理由からも有利である。シリコーン油マイクロエマルションでは、これらの要求は特に大きい。なぜならば、この際使用されるシリコーン系界面活性剤は非常に高価であるか、または慣用の界面活性剤を非常に高濃度で使用しなければならないからである。
【００１２】
ドイツ特許出願第198 39 054.8-41号は、水溶性ブロックＡと水不溶性ブロックＢとを有するＡＢブロックコポリマーを加えることによって、層状のメソ相を同時に抑制しながら界面活性剤の効果を高める方法、油、水及び界面活性剤の混合物の単相領域の温度位置を安定化させる方法、マイクロエマルション中の乳化された液体粒子の組織の大きさを増大させる方法、並びに油と水の混合物の界面張力を低下させる方法を開示している。
【発明の開示】
【発明が解決しようとする課題】
【００１３】
それゆえ、本発明の課題は、シリコーン油を含むマイクロエマルション中の界面活性剤の効果をも高め、かつ界面張力を低下させることである。また、シリコーン油含有マイクロエマルションを、より少ない量の界面活性剤で安定化すること、すなわち調合物中の界面活性剤を節約すること、並びに熱力学的安定性の温度域を拡張することもねらいである。更に、シリコーン油含有マイクロエマルション中での層状の相の発生を抑制すること、及び界面張力を低下させることも課題である。シリコーン油含有マイクロエマルションの温度挙動は、添加剤によって影響を受けるべきではない。すなわち、相図における単相領域の位置は、添加剤を加えることで、その温度に関して本質的な影響を受けるべきではない。
【００１４】
また同様に、上記の利点を実現し、かつ処方を大きく変える必要なく、例えばマイクロエマルションに加えることができる添加剤を提供することも課題である。更に、クリーナー中に及び／またはシリコーン油含有マイクロエマルション中に使用することができ、かつ界面活性剤の有効必要量の減少を実現できる、添加剤を提供することも課題である。これには、毛髪及び身体用のケア用品及び化粧料、例えばデオドラント、スキンケア用品、サンクリーム、ローション、シャンプー、シャワージェル、浴用添加剤、潤滑剤（Schmierstoffe）、滑剤(Gleitmittel)、離型剤、植物保護剤、医薬品、繊維材料のケア用品及び助剤、皮革及び毛皮用のケア用品、乗り物用のケア用品、クリーナー並びに艶出し剤、家庭用、産業用及び工業用の製品（Einsatzstoffe）などが挙げられる。本発明の添加剤を用いることにより、乳化された液体粒子の大きさがエマルションのそれと同じであるマイクロエマルションの製造を可能にすることもねらいである。シリコーン油が加えられたマイクロエマルションの安定性の温度域は、同量の界面活性剤において拡張されるべきである。
【課題を解決するための手段】
【００１５】
驚くべきことに、請求項１に記載の前提部の記載から出発して、上記の全ての課題が、水溶性ブロックＡと、ブロックＢとを有するブロックコポリマーであって、前記ブロックＢが、モノマー構成要素中に少なくとも４個の炭素原子を有するポリアルキレンオキシドであるか、あるいはできるだけ少ない量で１，４−ミクロ構造含むかまたは短鎖分岐を多量に含むポリジエンまたは部分的にもしくは完全に水素化されたポリジエンのいずれかである、前記ブロックコポリマーを添加剤として使用することによって本発明により解決される。
【００１６】
この際、ブロックＡは、好ましくはシリコーン油中に不溶性であり、そしてブロックＢは、好ましくは水中に不溶性である。
【００１７】
ブロックＡは、好ましくは、ＰＥＯからなるが、ブロックＡがそれの水溶性を失うことなく、エチレンオキシドと、より高級のアルキレンオキシド（例えばプロピレンオキシド及び／またはブチレンオキシド）とのコポリマーも可能である。
【００１８】
しかし、水溶性であり、それによってブロックＢとの組み合わせで両親媒性物質を形成するものであれば、任意のブロックＡを使用することができる。更に、ブロックＡとしては、例えば、ポリアクリル酸、ポリメタクリル酸、ポリスチレンスルホン酸、並びにこれらのアルカリ金属塩（この場合は、アルカリ金属カチオンによる酸官能基の少なくとも部分的な置換が行われる）、ポリビニルピリジン及びポリビニルアルコール、ポリメチルビニルエーテル、ポリビニルピロリジン、ポリサッカライド、及びこれらの混合物を挙げることができる。
【００１９】
ブロックＡ内では、それのモノマー成分は、任意の配列で存在することができる。好ましくは、各成分は、少なくとも部分的には、交互に配列されている。更に別の好ましい態様の一つでは、ブロックＡのモノマー構成要素はランダムな配列を有する。
【００２０】
更に、ブロックＡは、好ましくは、シリコーン油中に不溶性であるのがよい。
【００２１】
これに対して、ブロックＢは、好ましくは、モノマー構成要素中に少なくとも４個の炭素原子を有するポリアルキレンオキシド、好ましくはポリブチレンオキシド、ポリペンチレンオキシド及びポリヘキシレンオキシド、並びにモノマー構成要素中に少なくとも４個の炭素原子を有する他のポリアルキレンオキシドである。モノマー構成要素として特に好ましいものは、１，２ブチレンオキシドである。
【００２２】
ブロックＢは、ポリブチレンオキシド、ポリペンチレンオキシド及びポリヘキシレンオキシド、並びにモノマー構成要素中に少なくとも４個の炭素原子を有する他のポリアルキレンオキシドの群から選択される少なくとも二種の成分からなることができる。
【００２３】
ブロックＢは、シリコーン油への可溶性が得られる限り、エチレンオキシド及びプロピレンオキシドも含むことができる。
【００２４】
更に、ブロックＢは、好ましくは、水中に不溶性であるのがよい。
【００２５】
更に、構造式ＡＢＡまたはＢＡＢの三元ブロック、並びに構造式（ＡＢ）nまたは（ＢＡ）n［式中、ｎは星状ポリマー中の腕の数を表す］の星状ポリマーを使用することができる。ポリアルキレンオキシドブロックコポリマーの場合は、星状構造の中心は、例えばｎ−価のアルコール（ｎはＯＨ基の数）またはｍ−価のアミン（ｍはアミノ基の数、ｎは窒素原子に結合したＨ原子の数）であることができる。（ＡＢ）nの場合は、成分Ａが星の中心と結合し、（ＢＡ）nの場合は、成分Ｂが星の中心と結合する。
【００２６】
ブロックＢの更に別の態様の一つは、できるだけ少ない割合で１，４ミクロ構造を有するポリジエン、及び／またはそれの部分に水素化されているかもしくは完全に水素化されているポリアルカン変体である。ブロックＢに可能なモノマーは、１，３ブタジエン、イソプレン、１，３ペンタジエン、２，３−ジメチル−１，３−ブタジエン、１，３−ヘキサジエン、ミルセン(Myrcen)である。ブロックＢでは、対応するジエンモノマーからなる混合物も可能である。１，３ジエンモノマー中の炭素原子数は４〜２０、好ましくは４〜１０、特に好ましくは４または５である。特に好ましいものはブタジエン及びイソプレンである。好ましくは、ジエンはアニオン重合可能なものである。ポリアルカン中の分岐は、ポリジエン中の分岐に由来する。しかし、短鎖分枝ポリアルカンブロックは、ジエンとしての他のモノマーから製造したポリジエンを水素化しなくとも、例えば１−ブテンからポリ（１，２ブテン）のように、直接製造することもできる。
【００２７】
【化１】
0005553988.tif 000002
ポリマーブロックＢのミクロ構造は、１，４−構造の割合が出来る限り少ないものがよい。理想的には、これは１０％を超えないのがよい。しかし、それ以外で、良好な結果を与える好ましい範囲は、１，４−構造の割合が２５％まで、またはそれほど好ましくないが５０％までの範囲である。ブロックＢは、部分的にまたは完全に水素化することができる。
【００２８】
こうして得られるポリマーは、中でも、ポリ（１−ブテン）（１，２ポリブタジエンから）、またはポリ（１−ヘキセン）（１，２ポリ（１，３−ヘキサジエン）から）である。
【００２９】
上記の水素化変体の立体構造は出来る限りアタクチックであるのがよい。
【００３０】
この際、ポリアルキレンオキシドブロックコポリマーの場合と同じ構造も可能である。
【００３１】
驚くべきことに、本発明によるＡＢブロックコポリマーは、それのブロックＢがシリコーン油中に可溶性であるように得られることが判明した。
【００３２】
本発明の有利な改良は、下位の請求項に記載したものである。
【００３３】
この際、ブロックＡ及びＢは、５００〜１０００００ｇ／モル、好ましくは１０００ｇ／モル〜５００００ｇ／モル、特に好ましくは３０００ｇ／モル〜２００００ｇ／モルの分子量を有することができる。
【００３４】
ブロックＡとしては、好ましくは、ポリエチレンオキシドブロックが使用される。更に、ブロックＡとして、水中に可溶性である、エチレンオキシド及びプロピレンオキシドからなるコポリマーも使用される。
【００３５】
ブロックＢとしては、好ましくは、モノマー構成要素中に少なくとも４個の炭素原子を有するポリアルキレンオキシドブロックが使用される。これらのブロックＢは、ブロックＢとしてポリジエンまたは部分的に乃至完全に水素化されたポリジエンよりも、製造のし易さ及び界面活性剤との混和性がより良好であるという利点がある。
【００３６】
本発明に従い使用されるブロックＢとしてポリアルキレンオキシドを有するＡＢブロックコポリマーは、好ましくは、各ブロックを順に重合させてアルコキシル化することによって得ることができる。
【００３７】
有利には、ブロックＢは、鉱油またはシリコーン油に可溶性である。
【００３８】
本発明に従い使用されるＡＢブロックコポリマーの用途品における特に有利な性質は、ブロックＡ及びＢの分子量が各ブロックＡ及びＢについておおよそ３０００〜２００００ｇ／モルの場合に観察される。例えば、このような比較的小さい分子量を有するポリマーは、迅速にかつ良好に溶解する。すなわち、これらのポリマーは、界面活性剤中に簡単に配合することができる。
【００３９】
好ましい態様の一つでは、ブロックＡは、ブロックＢの１／２〜２倍の分子量を有する。
【００４０】
本発明に従い使用されるＡＢブロックコポリマーでは、両ブロックＡ及びＢは、できるだけ大きく異なる極性を有するのがよい。この際、ブロックＡができるだけ極性が高いもの、ブロックＢができるだけ非極性のものとされる。これよって、両親媒性の挙動が高められる。
【００４１】
ブロックＡは水溶性であり、そしてブロックＢは好ましくは非極性の媒体中に可溶性である。
【００４２】
有利には、ブロックＢは、鉱油、高沸点エステルもしくは脂肪族炭化水素またはシリコーン油中に可溶性である。室温においてもこのような可溶性を持つものが好ましい。
【００４３】
更に、ＡＢＡ及びＢＡＢの形を有するＡＢ三元ブロックコポリマー並びにこのモノマー順列の星状ポリマーも同じ本発明による作用を有するので、これらのポリマーもまた本発明に包含される。
【００４４】
更に、（ＡＢ）nまたは（ＢＡ）n（ｎは星状ポリマー中の腕の数を表す）の構造を有する星状ポリマーも本発明によって包含される。ポリアルキレンオキシド−ブロックコポリマーの場合には、星状構造の中心は、例えば、ｎ−価のアルコール（ｎ＝ＯＨ基の数）またはｍ−価のアミン（ｍ＝窒素原子に結合したＨ原子の数）であることができる。これらの星状ポリマーもまた同様に本発明による作用を有するものである。
【００４５】
限定はされないが、例えば、以下に挙げる界面活性剤（Ｃ）及びこれらの混合物を本発明の添加剤と共に使用することができる。
・アルキルアルコキシレートの部類の非イオン性界面活性剤、特に分子量分布が狭いか及び／または残留アルコール含有量が少ないアルキルアルコキシレート；
・共界面活性剤（Ｃx−ＯＨ，ｘ≧６）と組み合わせたアルキルポリグルコシド（ＡＰＧ，“糖界面活性剤”，ＣiＧj，ｉ≧８）の部類の非イオン性界面活性剤；
・シリコーンポリエーテル界面活性剤、
・陰イオン性界面活性剤、例えば脂肪アルコールスルフェート、アルキルベンゼンスルホネート、アルキルエーテルスルフェート、ＡＯＴ（ビス（２−エチルヘキシル）スルホコハク酸ナトリウム）；
・陽イオン性界面活性剤；
・界面活性剤の混合物、特に非イオン性／陰イオン性界面活性剤混合物、または非イオン性／陽イオン性界面活性剤混合物、またはシリコーン系界面活性剤とケイ素不含の界面活性剤との混合物。
【００４６】
本発明に従い、シリコーン油を含むマイクロエマルション中において界面活性剤の効果を高めることができる。限定はされないが、本発明は、例えば、以下に挙げる線状、環状または分枝状シロキサン型の構造のシリコーン油を含むマイクロエマルションに使用することができる。
【００４７】
【化２】
0005553988.tif 000003
この際、Ｒは、有機残基、好ましくは脂肪族または芳香族炭化水素残基、特に好ましくはＣＨ3である。Ｒとしては、他の有機残基、例えば官能性基、例えばＯＨ基、アミノ基、エポキシ基などを有する他の有機残基も可能である。それぞれ異なる複数種のＲ残基が存在することもできる。Ｒ残基の一部は−Ｈまたは−ＯＨであることもできる。
【００４８】
ａは、好ましくは０〜１０００であることができる。
【００４９】
ｂは、特に好ましくは３〜１０の値であることができる。但しこの際、ａ及びｂは、分布に基づく平均値である。特に好ましくは、ａは０〜１０であり、そしてｂは３〜６である。
【００５０】
シリコーン油の例としては、以下の化合物を挙げることができる。
Ｒ＝ＣＨ3、ａ＝０，ヘキサメチルジシロキサン（Ｍ2）；
Ｒ＝ＣＨ3、ａ＝１，オクタメチルトリシロキサン（ＭＤＭ）；
Ｒ＝ＣＨ3、ａ＝２，デカメチルテトラシロキサン（ＭＤ2Ｍ）；
Ｒ＝ＣＨ3、ｂ＝３，ヘキシルメチルシクロトリシロキサン（Ｄ3）；
Ｒ＝ＣＨ3、ｂ＝４，オクタメチルシクロテトラシロキサン（Ｄ4）；
Ｒ＝ＣＨ3，ｂ＝５，デカメチルシクロペンタシロキサン（Ｄ5）。
【００５１】
これらのシリコーン油は、通常は、組成が単分散ではない工業的な製品である。
【００５２】
また、ａとｂに関して異なる値を有する混合物や、線状及び／または環状及び／または分枝状シリコーン油の混合物も可能である。
【００５３】
マイクロエマルションの水性相は、塩などの添加物や、グリコールなどの水溶性有機化合物を含むことができる。
【００５４】
油相も助剤を含むことができる。しかし、添加剤及び助剤は、マイクロエマルションを破壊しないことが求められる。
【００５５】
例えば、水性成分の屈折率を油成分に合わせるために、グリセリンを水に加えることができる。それによって、効果が向上されたマイクロエマルションは、濁って見えるものでも、再び透明になる。この方法は、化粧料、毛髪及び身体用のケア用品の分野に使用されるマイクロエマルションに特に重要である。
【００５６】
本発明によるマイクロエマルションは、原則的には液状である必要はない。熱力学的な意味でマイクロエマルションであれば、ゲル様の固形の混合物でもよい。それゆえ、個体の形は、例えば水性及び／または油様の成分に添加剤を加えるか、またはマイクロエマルション中に存在するメソ層によって得ることができる。
【００５７】
油相に対する水性相の質量比は、例えば０．０１〜１００、好ましくは０．１〜１０、特に好ましくは０．３〜３である。
【００５８】
界面活性剤―ブロックコポリマー混合物中でのブロックコポリマーの質量割合は例えば、好ましくは０．０１〜０．２５、特に好ましくは０．０５〜０．１５である。
【００５９】
該マイクロエマルション中の界面活性剤／ブロックコポリマー混合物の質量割合は、温度域に依存するが、好ましくは０．０３〜０．３、好ましくは０．０５〜０．２である。
【００６０】
本発明においては、本発明によるＡＢブロックコポリマーを水―油―界面活性剤−混合物に加えることによって、相図における単相領域の位置が同じ温度領域に留まり、界面活性剤混合物の効果が明らかに向上され、層状メソ層がマイクロエマルション中で制御され、そして界面張力が減少される。更に、マイクロエマルションは、その構造を大きくしながら、それの特性を維持する。例えば、乳化された構造は、約２０００オングストロームまでの大きさとなる。乳化された液体粒子の大きさは、本質的に界面活性剤濃度に依存する。
【００６１】
以下に幾つかの用語を定義する。
Ｃ＝任意の界面活性剤または乳化剤、例えば陰イオン性、陽イオン性、非イオン性または糖界面活性剤、並びに少なくとも二種の界面活性剤を含むこれらの混合物。
Ｄ＝本発明に従い界面活性剤Ｃに加えられる添加剤。
γ＝Ｃ及びＤからなる総界面活性剤濃度（質量分率）。
【００６２】
【数１】
0005553988.tif 000004
ｍは、質量（ｇ）であり、
γは、無次元の質量分率であり、
ｍgesは、ｍwater＋ｍoil＋ｍ（Ｃ）＋ｍ（Ｄ）からなる総質量であり、
【００６３】
【数２】
0005553988.tif 000005
δは、界面活性剤Ｃと添加剤Ｄとの混合物中における添加剤Ｄの質量分率であり、以下の式に相当する。
【００６４】
【数３】
0005553988.tif 000006
ｍは、質量（ｇ）であり、そして
δは質量分率（無次元）である。
１，２ＰＢ６は、ポリブタジエンであり、
ＰＩＨ１３は、水素化したポリイソプレンであり、
ＰＥＰ５は、水素化したポリイソプレンであり、
ＰＢ０５及びＰＢ０１０は、ポリ（１，２−ブチレンオキシド）であり、
ＰＥＯは、ポリエチレンオキシドである。
【００６５】
非極性ブロックである１，２ＰＢ６、ＰＩＨ１３、ＰＥＰ５に付随するミクロ構造を表１に示す。この際、水素化変体であるＰＩＨ１３及びＰＥＰ５についての値は、非水素化ポリエン変体の値を表している。
【００６６】
界面活性剤の効果は、所定の割合の油を水中に可溶化するかまたは逆に所定の割合の水を油中に可溶化するために必要な界面活性剤の量で表わされる。同じ効果を達成するための界面活性剤の必要量が少ないほどに、効果が高い。マイクロエマルションが、同じ界面活性剤の濃度においてより広い温度領域で安定している時にも効果の向上が確認される。
【００６７】
該マイクロエマルションの製造は、大きなエネルギーを導入せずに行われる。各成分は、原則的に、それぞれ任意の順番で互いに混合することができる。ブロックコポリマーと界面活性剤は、一つの導入単位として考える必要はないが、これらを一緒に調合物に導入することは有意義であり得る。
【実施例】
【００６８】
以下の実施例では、次の界面活性剤を使用した。
ペンタエチレングリコールモノドデシルエーテル (C12E5)、
トリエチレングリコールモノドデシルエーテル(C12E3)、
ジドデシルアンモニウムブロマイド (DDAB)、
ヒドロキシ（ポリエチレンオキシ）プロピルで停止されたポリジメチルシロキサン（分子量５５０〜６５０ｇ／モル）：５０％（CH2-CH2-O）（Gelest Inc. Morrisville, PA, USA）（C4D3E8）。
疎水性単位としてヘプタメチルトリシロキサン基を含むシリコーン―ポリエーテル界面活性剤（中央のケイ素原子にヒドロキシ（ポリエチレンオキシ）プロピル基が結合したもの）。M(DE10.3)Mについては、ＮＭＲ分光分析によって、１０．３の平均エトキシル化度、M(DE9.7)Mについては９．７の平均エトキシル化度が確認された。
【００６９】
本発明のマイクロエマルションの挙動を図１〜９に示す。
【００７０】
これらの図では、各々のδ値に特有の単相領域の境界の特徴を示す曲線を各々のδ値について記す。各々の曲線の先端は、異なる多相領域が接する点である。この点は、フィッシュテールポイントとも呼ばれる。曲線の先端が低界面活性剤濃度、すなわち低γ値側にあるほど、ブロックコポリマーＤの添加による界面活性剤Ｃの効果がより大きい。
【００７１】
この際、参照番号１は、単相のマイクロエマルションの領域を示し、番号２（下線）は、油相と共存する水中油型マイクロエマルションを示し、そして番号２（上線）は、水相と共存する油中水型のマイクロエマルションに相当する。層状相は、図ではＬαで示される。これが無い場合は、検査した範囲では層状相が生じなかったことを意味する。
図１：  φ＝０．５の一定の水／油比率において、１，２-ＰＢ６-ＰＥＯ６の添加（δ）を関数とした、水−Ｍ2−Ｃ12Ｅ5−１，２-ＰＢ６-ＰＥＯ６の混合物の温度／界面活性剤濃度図である。
図２：  φ＝０．５の一定の水／油比において、１，２-ＰＢ６-ＰＥＯ６ δ2[δ2=m(PB05-PEO5)/(m(C12E3)+m(DDAB)+m(PBO5-PEO5))]の添加を関数とした、水−Ｄ4−ＤＤＡＢ−Ｃ12Ｅ3―１，２-ＰＢ６-ＰＥＯ６の混合物の温度／界面活性剤濃度図である。この際、イオン性界面活性剤と非イオン性界面活性剤との間の比率であるδ1[δ1＝m(DDAB)/((m(C12E3)+m(DDAB)+m(PBO5-PEO5))]は一定に維持した。
図３：  ０．０５のδ、及びφ＝０．５の一定した水／油比における、次の各種ポリマー、すなわちＰＥＰ５-ＰＥＯ５、１，２-ＰＢ６-ＰＥＯ６、ＰＩＨ１３-ＰＥＯ１７についての水−Ｍ2−Ｍ（ＤＥ10.3）Ｍ−両親媒性ポリマーの混合物の温度／界面活性剤濃度図。比較として、上の図は、添加剤なしの系（δ＝０）の相図を示す。
図４：  ０．０５のδ、及びφ＝０．５の一定の水／油比における、各種ポリマー、すなわちＰＥＰ５-ＰＥＯ５、１，２-ＰＢ６-ＰＥＯ６についての水−ＭＤＭ−Ｃ4Ｄ3Ｅ8−両親媒性ポリマーの混合物の温度／界面活性剤濃度図。
図５：  φ＝０．５の一定の水／油比における、１，２-ＰＢ６-ＰＥＯ６（δ）の添加を関数とした、水−環状シリコーン油−Ｍ（ＤＥ9.7）Ｍ−１，２-ＰＢ６-ＰＥＯ６の混合物の温度／界面活性剤濃度図。
図６：  ０．０５のδ、及びφ＝０．５の一定の水／油比において、各種ポリマー、すなわち１，２−ＰＢ６−ＰＥＯ６及びＰＢＯ１０−ＰＥＯ１０について水−Ｍ2−Ｃ12Ｅ5−両親媒性ポリマーの混合物の温度／界面活性剤濃度図。比較として、添加剤なし（δ＝０）の相図も示す。
図７：  ０．０５のδ、及びφ＝０．５の一定の水／油比において、水−Ｍ2−Ｍ（ＤＥ10.3）Ｍ−ＰＢＯ５-ＰＥＯ５の混合物の温度／界面活性剤濃度図。この図には、比較として、添加剤なしでδ＝０の系の相図も示す。
図８：  φ＝０．５の一定の水／油比において、両親媒性ブロックコポリマー（δ）の添加を関数とした、水−Ｄ4−Ｍ（ＤＥ9.7）Ｍ−ＰＩＨ１３-ＰＥＯ１７の混合物の温度／界面活性剤濃度図。
図９：  δ＝０及びδ＝０．０５での、単相領域内での
【００７２】
【数４】
0005553988.tif 000007
付近における各種ポリマー、すなわちＰＥＯ５、１，２−ＰＢ６−ＰＥＯ６についての水−ＭＤＭ−Ｃ4Ｄ3Ｅ8−両親媒性ポリマーの混合物の小角中性子散乱スペクトル。
【００７３】
表１は、これらの例のブロックコポリマーの特徴を示す。
【００７４】
表２は、小角中性子散乱を用いたマイクロエマルションの特性決定からの測定値を示す。表２は、フィッシャーテールポイント付近でのポリマー含有率δ及び界面活性剤含有率γの計った量を示す。最大散乱強度ｑmaxの位置は、本質的にドメインサイズｄTS〜２π／ｑmaxの特徴を示すが、散乱強度の改良された評価は、トイプナー−シュトレイ式に基づき、そしてより正確な値が、ｄTSについて及び、追加的に、ｄTSの約半分の値である相関長ξについて得られる。
【００７５】
図１〜８に示したＴ／γ図は、１：１の一定の水／油体積比を有する系を示すものである。これらについて以下に説明する。
【００７６】
図１は、界面活性剤全体の効果が、ブロックコポリマーとしての１，２−ＰＢ６−ＰＥＯ６を加えることによりどのように向上されるかを示す。それぞれ同じ量の水及びＭ2（ヘキサメチルジシロキサン）及びＣ12Ｅ5からマイクロエマルションを調合すると、２３％の界面活性剤濃度（γ＝０．２３）では、０℃〜１００℃の温度では、二相領域及び三相領域しか存在しない。同じ混合物において、界面活性剤としてのＣ12Ｅ5の５％を両親媒性ブロックポリマーの１，２−ＰＢ６−ＰＥＯ６に置き換えると（δ＝０．０５）、４５℃〜６２℃の温度において単相領域が得られる。更に、フィッシュテールポイントにおいて、相境界は温度軸上で非常に僅かにしかシフトしない。このことは、ブロックコポリマーＤが、界面活性剤Ｃの使用温度に関してそれの有効位置を本質的に変化させないということと同義である。図に示した両方の系は層状相を含み、両親媒性ブロックコポリマーを使用すると、フィッシュテールポイントに対するそれの広がりは更に後退する。
【００７７】
陽イオン性界面活性剤であるＤＤＡＢ及び非イオン性界面活性剤であるＣ12Ｅ3を含む系について図２に示した例においても、界面活性剤全体の効果は向上されている。この場合、ブロックコポリマーは、界面活性剤混合物の相乗効果を更に高めることができる。加えて、この系では、メソ相が生じない。
【００７８】
図３は、水−Ｍ2−Ｍ（ＤＥ10.3）Ｍ−両親媒性ポリマーからなる様々な系の効果及び温度位置についての概要を示す。この際、ポリマーとしてのＰＥＰ５−ＰＥＯ５、１，２−ＰＢ６−ＰＥＯ６、及びＰＩＨ１３−ＰＥＯ１７は、δ＝０．０５及び一定の水／油比φ＝０．５で使用した。使用した全てのポリマーにおいて、δ＝０の初期系と比較して、効果の向上及びほぼ変わらない温度位置が観察される。ＰＥＰ５−ＰＥＯ５及び１，２ＰＢ６−ＰＥＯ６のポリマーについては、より高い効果の故に、層状相がフィッシュテールポイントのより近くにずれることが予期されるにも拘わらず、層状相がフィッシュテールポイントに対して幾らか後退する。ＰＩＨ１３−ＰＥＯ１７の場合は、測定範囲においては層状相は観察されない。
【００７９】
図４は、水−ＭＤＭ−Ｃ4Ｄ3Ｅ8−両親媒性ポリマーからなる混合物中にブロックコポリマーとしてのＰＥＰ５−ＰＥＯ５及び１，２−ＰＢ６−ＰＥＯ６をδ＝０．０５で加えた際に、界面活性剤全体の効果がどのように増強されるかを示す。この例においても、φ＝０．５の一定の水／油比を使用した。δ＝０のポリマー不含系と比較して、両方のポリマーが顕著な効果向上を示す。しかし、全体としては、シリコーン油に対する溶解性がより高いポリマーである１，２−ＰＢ６−ＰＥＯ６の場合に、効果がより大きく向上する。温度挙動に関しては、同じ特性が得られる。
【００８０】
ブロックコポリマーＰＥＰ５−ＰＥＯ５中の水不溶性ブロックは、僅かな短鎖分岐を有し、それの基礎となるポリジエン中の１，４ミクロ構造を多く有する。ＰＥＰ５−ＰＥＯ５は、確かに、最も小さいジメチルシロキサンＭ2における効果の向上に適しているが、次に大きいジメチルシロキサンＭＤＭにおけるＰＥＰ５−ＰＥＯ５による効果向上は、疎水性ブロック中に９％の１，４ミクロ構造しか含まない１，２ＰＢ６−ＰＥＯ６のそれよりは明らかに小さい。より分子量の大きいシロキサンにおいては、ＰＥＰ５−ＰＥＯ５ではもはや効果向上を達成できない。
【００８１】
図５は、水−環状シリコーン油−Ｍ（ＤＥ9.7）Ｍ−１，２-ＰＢ６-ＰＥＯ６からなる様々な系の効果及び温度位置についての概要を示す。この際、シリコーン油Ｄ4及びＤ5は、φ＝０．５の一定の水／油比で存在する。この界面活性剤混合物において、ポリマー不含系（δ＝０）及び５％のポリマーを含む系をそれぞれ試験した。両方の場合において、ポリマーとしての１，２−ＰＢ６−ＰＥＯ６によって効果が顕著に向上されるが、全体としては、効果が比較的小さいＤ5含有系においてより強く効果が向上される。
【００８２】
図６は、水−Ｍ2−Ｃ12Ｅ5−両親媒性ポリマーからなる混合物において、ブロックコポリマーとして１，２−ＰＢ６−ＰＥＯ６及びＰＢＯ１０−ＰＥＯ１０をδ＝０．０５で加えた際に、界面活性剤全体の効果がどのように増強されるかを示す。この例においても、φ＝０．５の一定の水／油比を使用した。δ＝０のポリマー不含系と比較して、両方のポリマーが顕著な効果の向上を示す。
【００８３】
ポリマーを含むマイクロエマルション及びポリマー不含のマイクロエマルションの双方において層状相が確認される。この場合も、効果の高い系においては、実測値よりも、層状相がフィッシュテールポイントにより接近することが予期された。
【００８４】
図７は、水−Ｍ2−Ｍ（ＤＥ10.3）Ｍからなる混合物においてブロックコポリマーとしてＰＢＯ５−ＰＥＯ５をδ＝０．０５で加えた際に、界面活性剤全体の効果がどのように向上されるかを示す。この例においても、φ＝０．５の一定の水／油比を使用した。この場合、転相温度の位置は、ごく僅かにより高温度側にシフトする。ポリマーを含むマイクロエマルション及びポリマー不含のマイクロエマルションの双方において層状相が確認される。この場合も、効果の高い系においては、実測値よりも、層状相がフィッシュテールポイントにより接近することが予期された。
【００８５】
図８は、水−Ｄ4−Ｍ（ＤＥ9.7）Ｍからなる混合物中にブロックコポリマーとしてのＰＩＨ１３−ＰＥＯ１７をδ＝０．０５で加えた際に、マイクロエマルションの形成に必要な界面活性剤の総量がいかほど顕著に減少されるかを示す。この例では、転相温度は、φ＝０．５の一定の水／油比においてほとんど変化しない。
【００８６】
図９は、ポリマー不含マイクロエマルション及びポリマー含有マイクロエマルションについて、散乱ベクトルＱを関数とした巨視的散乱横断面積Ｉ（散乱強度に比例）を示す。各々の場合において、フィッシュテールポイントにおいて可能な限り最低の界面活性剤濃度を選択した。実線は、トイプナー−シュトレイ式に従う適応曲線であり、これは、強度の最大値を明確に表すことができる。最大値の位置は、ドメインサイズｄTSに対して反比例し、それゆえ、ポリマーの影響下でのドメインの増大が直接確認される。散乱強度の最大は、しばしばトイプナー−シュトレイ式によって記載される(M. Teubner, R. Strey, J. Chem. Phys. 87 (1987) 3195)。この記載から、ドメインサイズｄTSについての正確な値、及びｄTSのおおよそ半分の値である相関長ξについての正確な値が得られる。
【００８７】
表２及び図９は、ブロックコポリマーを含む系において、ドメインの大きさが顕著に増大されることを示す。これは、ポリマーを含む系ではより少ない量の界面活性剤を用いて、より多量の水及び油を混合し得ることを意味する。更に、その散乱曲線は、ポリマー含有の系及びポリマー不含の系の両方において熱力学的に安定したミクロ構造を証明している。
【００８８】
本発明による界面張力の低下を、水−Ｍ2−Ｃ12Ｅ5からなる系中でのポリマーＰＢＯ１０−ＰＥＯ１０の例によって示す。ポリマー不含の系において、スピニング−ドロップ−張力計を用いて５６℃の温度において、水とシリコーン油との間に３．５８×１０-2ｍＮｍの界面張力σabが得られる。ここで、界面活性剤の５％を、ＰＢＯ１０−ＰＥＯ１０で置き換えると、界面張力が２．２×１０-2ｍＮｍに低下する。この界面張力の低下は、記載した全ての例において当てはまる。
【００８９】
これらの例では、δ＝０．０５に相当する、界面活性剤中５％の割合のポリマーを使用したが、他のポリマー含有率を使用することもできる。高いポリマー含有率においては特に、効果の向上は、より強くはっきりと現れる。δは好ましくは０．０１〜０．２５である。
【００９０】
本発明に従い使用されるＡＢブロックコポリマーを用いることによって、界面活性剤、例えば陰イオン性、陽イオン性及び非イオン性界面活性剤、糖界面活性剤、シリコーン系界面活性剤、特に工業的な界面活性剤混合物の界面張力が低下する。層状メソ相の発生は抑制される。マイクロエマルションの温度挙動は変化しない。すなわち、相図における温度に関しての単相領域の位置は、本発明により使用される添加剤の添加によっては影響を受けない。そのため、単相図での温度に関して変化せずに同じままの単相領域の位置を達成するために、処方を変える必要はない。
【００９１】
本発明によるＡＢブロックコポリマー、並びにＡＢＡ及びＢＡＢ、並びに星状コブロックポリマーは、好ましくは、マイクロエマルションを含む化粧料の安定化に使用することができる。更に、これらは、潤滑剤として、好ましくは繊維材料の分野における潤滑剤としてや、医薬品にまたは離型剤に使用することができる。
【００９２】
可能な用途には、毛髪及び身体ケア用の製品、及び化粧料、例えばデオドラント、スキンケア用品、サンクリーム、ローション、シャンプー、シャワージェル、浴用添加剤、潤滑剤（Schmiermittel）、滑剤（Gleitmittel）、離型剤、植物保護剤、医薬品、繊維材料のケア用品及び助剤、皮革及び毛皮のケア用品、乗り物のケア用品、クリーナー及び艶出し剤、家庭用、産業用及び工業用の製品などが挙げられる。これらを用いて、乳化された液体粒子の大きさがエマルションのそれに相当するマイクロエマルションを製造することができる。マイクロエマルションの安定性の温度域は、シリコーン油を添加した場合に、同じ界面活性剤含有率において拡張される。
【００９３】
マイクロエマルションは、反応媒体としても使用することができ、これらは、例えば洗剤または洗浄剤として使用した際に、疎水性の汚れを吸収することができるか、または疎水性の汚れを吸収することによって生じ得る。本発明によるマイクロエマルションは、疎水性の構成分を放出することができるか及び／または固体もしくは液体表面を濡らすことができる。この目的のためには、シリコーン油が、それの拡がり作用（Spreit-Wirkung）の故に特に好適である。
【００９４】
本発明に従いＡＢブロックコポリマーを添加することによって製造されたシリコーン油含有マイクロエマルションでは、乳化された液体の体積が、エマルションのそれに相当する。
【００９５】
効果の向上には、同時に、マイクロエマルションが熱力学的に安定している温度間隔の拡張が伴う。これは、広い温度範囲にわたり安定性が保証されなれけばならないような産業的な用途に特に有利である。
【００９６】
【表１】
0005553988.tif 000008
【００９７】
【表２】
0005553988.tif 000009
【図面の簡単な説明】
【００９８】
【図１】図１は、界面活性剤全体の効果が、ブロックコポリマーとしての１，２−ＰＢ６−ＰＥＯ６を加えることによりどのように向上されるかを示す。
【図２】図２は、陽イオン性界面活性剤であるＤＤＡＢ及び非イオン性界面活性剤であるＣ12Ｅ3を含む系についての例である。
【図３】図３は、水−Ｍ2−Ｍ（ＤＥ10.3）Ｍ−両親媒性ポリマーからなる様々な系の効果及び温度位置についての概要を示す。
【図４】図４は、水−ＭＤＭ−Ｃ4Ｄ3Ｅ8−両親媒性ポリマーからなる混合物中にブロックコポリマーとしてのＰＥＰ５−ＰＥＯ５及び１，２−ＰＢ６−ＰＥＯ６をδ＝０．０５で加えた際に、界面活性剤全体の効果がどのように増強されるかを示す。
【図５】図５は、水−環状シリコーン油−Ｍ（ＤＥ9.7）Ｍ−１，２-ＰＢ６-ＰＥＯ６からなる様々な系の効果及び温度位置についての概要を示す。
【図６】図６は、水−Ｍ2−Ｃ12Ｅ5−両親媒性ポリマーからなる混合物において、ブロックコポリマーとして１，２−ＰＢ６−ＰＥＯ６及びＰＢＯ１０−ＰＥＯ１０をδ＝０．０５で加えた際に、界面活性剤全体の効果がどのように増強されるかを示す。
【図７】図７は、水−Ｍ2−Ｍ（ＤＥ10.3）Ｍからなる混合物においてブロックコポリマーとしてＰＢＯ５−ＰＥＯ５をδ＝０．０５で加えた際に、界面活性剤全体の効果がどのように向上されるかを示す。
【図８】図８は、水−Ｄ4−Ｍ（ＤＥ9.7）Ｍからなる混合物中にブロックコポリマーとしてのＰＩＨ１３−ＰＥＯ１７をδ＝０．０５で加えた際に、マイクロエマルションの形成に必要な界面活性剤の総量がいかほど顕著に減少されるかを示す。
【図９】図９は、ポリマー不含マイクロエマルション及びポリマー含有マイクロエマルションについて、散乱ベクトルＱを関数とした巨視的散乱横断面積Ｉ（散乱強度に比例）を示す。
【図１】
0005553988.tif 000010
【図２】
0005553988.tif 000011
【図３】
0005553988.tif 000012
【図４】
0005553988.tif 000013
【図５】
0005553988.tif 000014
【図６】
0005553988.tif 000015
【図７】
0005553988.tif 000016
【図８】
0005553988.tif 000017
【図９】
0005553988.tif 000018